【手続補正書】
【提出日】平成20年12月8日(2008.12.8)
【手続補正１】
【補正対象書類名】特許請求の範囲
【補正対象項目名】全文
【補正方法】変更
【補正の内容】
【特許請求の範囲】
【請求項１】
参加者が入札サブシステムを使用して、複数の金融製品を発行、証券化、販売、取引、再融資、および買い戻しすることができるようにする、電子マーケットメイキング構造と、
参加者が、入札自体によって創出され、諸国間に存在する金利関係の差によって起こりうる、世界中の金利および利回り裁定取引機会を創出し、これに参加できるようにする、入札サブシステムと、
を備える、複数の参加者のためのコンピュータ実施の、複層の、オンライン電子マーケットメイキングシステム。
【請求項２】
前記システムは、１または２以上のエスクローまたは１または２以上の信託を使用することによって、少なくとも部分的に実施されることを特徴とする請求項１に記載のシステム。
【請求項３】
前記電子マーケットメイキング構造は、目に見える小売セクタ用の第１の層と、目には見えないが小売面とインターフェースする卸売りまたは団体セクタ用の第２の層とを備える、オペレーションの２層のサブシステムを含む、請求項１に記載のシステム。
【請求項４】
前記小売セクタ用の第１の層は、小売り入札者に見え、前記卸売りまたは団体セクタ用の第２の層は、小売り入札者には見えないが小売面とインターフェースし、かつ、卸売りまたは団体入札者のみに見える
ことを特徴とする請求項３に記載のシステム。
【請求項５】
通貨を借り入れることまたは貸し付けることに関しての利率または利回りに関して、裁定トランザクションを可能にする電子交換を具備し、
前記電子交換は、交換参加者が、提案された注文を電子的に評価し、かつ、提案された注文を電子的に提出することを許可するように、構成され、
前記電子交換は、電子的に提出された注文の中からマッチする注文を判断するように、更に構成される
ことを特徴とする装置。
【請求項６】
前記電子交換は、もし提出された注文が、予め決定された基準にマッチすると、判断されるならば、マッチする注文を含むトランザクションを承認しかつ終了するように、かつ、トランザクション終了文書を、注文を提出した交換参加者に電子的に発行するように、構成される
ことを特徴とする請求項５に記載の装置。
【請求項７】
電子交換の参加者によって電子的に提出された取引注文を受信すること
を具備する方法であって、
前記取引注文は、通貨を借り入れることまたは貸し付けることに関しての利率または利回りに関し、
前記方法は、
電子的に提出された取引注文をマッチさせること
を具備し、
受信されかつマッチされた取引注文は、もし単一の実質的同時トランザクション終了において終了するならば、通貨を借り入れることまたは貸し付けることに関しての利率または利回りに関する裁定トランザクションを結果として生じる
ことを特徴とする方法。
【請求項８】
マッチした取引注文を電子的に含むトランザクションを終了することと、
取引注文を提出した参加者に対してトランザクション終了文書を電子的に発行することと
を更に具備する
ことを特徴とする請求項７に記載の方法。
【請求項９】
電子交換の参加者によって電子的に提出された受信取引注文は、電子交換の小売レベルにおける参加者からの商業銀行機関を除外する
ことを特徴とする請求項７に記載の方法。
【請求項１０】
特定の通貨において価値を有する資産を、電子交換を通して行われる１または２以上の裁定トランザクションにおける使用のための基準通貨に兌換する電子プラットフォーム
を具備し、
前記裁定トランザクションは、基準通貨において借り入れることまたは貸し付けることに関しての利率または利回りに関し、
前記兌換は、１または２以上の裁定トランザクションの時に通貨交換マーケットにおいて広く普及している通貨交換レートに基づく
ことを特徴とする装置。
【請求項１１】
前記資産は、非流動性の資産である
ことを特徴とする請求項１０に記載の装置。
【請求項１２】
前記非流動性の資産は、無形の資産である
ことを特徴とする請求項１１に記載の装置。
【請求項１３】
前記基準通貨は、電子交換上の取引における使用のための標準グローバル単位として形成されたトランザクション単位である
ことを特徴とする請求項１０に記載の装置。
【請求項１４】
取引注文が電子交換に提出される電子交換システム
を具備し、
入札または請求が承認される場合には、前記交換に提出された取引注文を決済するように構成された電子エスクロー口座
を更に含む
ことを特徴とする装置。
【請求項１５】
前記電子エスクロー口座は、予め認可された元金保護取引における電子交換を通して預金額が投資されることを許可するように、構成される
ことを特徴とする請求項１４に記載の装置。
【請求項１６】
電子エスクロー口座は、取引トランザクションに携わる２人の契約相手の両方によって該取引トランザクションが承認された後に、該２人の契約相手に保護を提供するように、設計される
ことを特徴とする請求項１４に記載の装置。
【請求項１７】
裁定トランザクションのための複数のトランザクションコンポーネントを含む実質的同時トランザクション終了を電子的に実行する電子プラットフォーム
を具備し、
前記裁定トランザクションは、電子交換を通して行われ、
前記裁定トランザクションは、通貨を借り入れることまたは貸し付けることに関しての利率または利回りに関する
ことを特徴とする装置。
【請求項１８】
前記電子プラットフォームは、金融裁定トランザクションのための複数のトランザクションコンポーネントを含む実質的同時トランザクション終了を電子的に実行する電子プラットフォームである
ことを特徴とする請求項１７に記載の装置。
【請求項１９】
前記実質的同時トランザクション終了は、マッチされた取引終了、または、ヘッジされたレポ販売終了のうちの１つである
ことを特徴とする請求項１８に記載の装置。
【請求項２０】
前記電子プラットフォームは、実質的同時トランザクション終了のトランザクションコンポーネントとして含まれる取引注文の条件を満たす１または２以上の金融製品を生成するように、構成される
ことを特徴とする請求項１７に記載の装置。
【請求項２１】
前記電子プラットフォームは、トランザクション終了の前に結果の利益を確定するように、かつ、もし結果の利益が予め指定されたルールを満たすことができないならば、トランザクション終了が起こることを防止するように、構成される
ことを特徴とする請求項１７に記載の装置。
【請求項２２】
現金を、トランザクション単位で建てられた通貨デビットまたはクレジットとして、電子交換のための取引口座に記帳する電子プラットフォームと、
電子交換を通して行われる１または２以上の裁定トランザクションと
を具備し、
前記裁定トランザクションは、通貨を借り入れることまたは貸し付けることに関しての利率または利回りに関する
ことを特徴とするシステム。
【請求項２３】
前記トランザクション単位は、世界中からの１または２以上の通貨の交換レート、１または２以上の取引される商品の価格、または、それらの何れかの組合せに索引付けされた標準グローバル単位として形成される
ことを特徴とする請求項２２に記載の装置。
【請求項２４】
前記電子交換は、取引を実行する部分として、電子形式での電子交換を通して取引されるべきローンを、電子的に生成し、文書に記録し、かつ、発行することができる
ことを特徴とする請求項２２に記載のシステム。
【請求項２５】
前記ローンは、電子交換の電子的に発行された債務証書の電子担保によって保証されうる
ことを特徴とする請求項２４に記載のシステム。
【請求項２６】
電子交換の参加者によって電子的に提出された取引注文を受信すること
を具備する方法であって、
前記取引注文は、特定の通貨において借り入れることまたは貸し付けることに関しての利率または利回りに関し、
前記方法は、
前記取引注文を、電子交換を通して行われる１または２以上の裁定トランザクションにおける使用のための基準通貨に兌換すること
を具備し、
前記裁定トランザクションは、基準通貨において借り入れることまたは貸し付けることに関しての利率または利回りに関し、
前記兌換は、１または２以上の裁定トランザクションの時に通貨交換マーケットにおいて広く普及している通貨交換レートに基づく
ことを特徴とする方法。
【請求項２７】
前記基準通貨は、電子交換上の取引における使用のための標準グローバル単位として形成されたトランザクション単位であり、
前記標準グローバル単位は、１または２以上の通貨、１または２以上の商品、または、それらの何れかの組合せに索引付けされ、
各エレメントは、全体的な指数における該エレメントの割り当てられた重要性を反映するように、少なくとも部分的に重み付けされる
ことを特徴する請求項２６に記載の方法。
【請求項２８】
前記基準通貨は、電子交換上の取引における使用のための標準グローバル単位として形成されたトランザクション単位であり、
前記標準グローバル単位は、１または２以上の通貨、１または２以上の商品、または、それらの何れかの組合せに索引付けされ、
各エレメントは、全体的な指数に対する該エレメントの寄与に基づいて、少なくとも部分的に重み付けされる
ことを特徴とする請求項２６に記載の方法。
【請求項２９】
電子交換の参加者によって電子的に提出された取引注文を受信すること
を具備する方法であって、
前記取引注文は、特定の通貨において借り入れることまたは貸し付けることに関しての利率または利回りに関し、
前記方法は、
入札または請求が承認される場合には、電子交換に提出された取引注文を決済するために、電子エスクロー口座を確定すること
を具備する
ことを特徴とする方法。
【請求項３０】
もし取引注文が承認されるならば、電子交換を通して該取引注文を実行すること
を更に具備する
ことを特徴とする請求項２９に記載の方法。
【請求項３１】
信託サブ口座を、電子交換のための取引口座にリンクすること
を具備し、
１または２以上の裁定トランザクションが、電子交換を通して行われ、
前記裁定トランザクションは、通貨を借り入れることまたは貸し付けることに関しての利率または利回りに関する
ことを特徴とする方法。
【請求項３２】
前記信託サブ口座を、パススルー銀行口座またはチャージカードにリンクすること
を更に具備する
ことを特徴とする請求項３１に記載の方法。
【請求項３３】
取引注文が電子交換によって停止または拒絶される場合には、該取引注文に対して行われたデビット−クレジットエントリープロセスを取り消すこと
を更に具備する
ことを特徴とする請求項３１に記載の方法。
【請求項３４】
電子交換の取引口座に対する取引注文を電子的に生成することと、
電子交換を通して行われる１または２以上の裁定トランザクションと
を具備し、
前記裁定トランザクションは、通貨を借り入れることまたは貸し付けることに関しての利率または利回りに関する
ことを特徴とする方法。
【請求項３５】
電子交換に提出される前に、取引注文が予め選択された条件を満たすか否かを判断すること
を更に具備する
ことを特徴とする請求項３４に記載の方法。
【請求項３６】
裁定トランザクションのための複数のトランザクションコンポーネントを含む実質的同時トランザクション終了を電子的に実行すること
を具備し、
前記裁定トランザクションは、電子交換を通して行われ、
前記裁定トランザクションは、通貨を借り入れることまたは貸し付けることに関しての利率または利回りに関する
ことを特徴とする方法。
【請求項３７】
前記実質的同時トランザクション終了は、マッチされた取引終了、または、ヘッジされたレポ販売終了のうちの１つである
ことを特徴とする請求項３６に記載の方法。
【請求項３８】
実質的同時トランザクション終了のトランザクションコンポーネントとして含まれる取引注文の条件を満たす１または２以上の金融製品を生成すること
を更に具備する
ことを特徴とする請求項３７に記載の方法。
【請求項３９】
裁定トランザクションの全てのトランザクションコンポーネントが、実質的同時に完了されるように、かつ、続いて、該トランザクションコンポーネントに対する電子決済プロセスが起こるように、電子裁定トランザクション終了をアレンジすること
を更に具備する
ことを特徴とする請求項３６に記載の方法。